(57)【要約】【課題】本発明は、高電力印加時においても使用可能な抵抗器を提供することを目的とするものである。【解決手段】金属板で構成した抵抗体１１と、この抵抗体１１の両端部において下方にＵ字状に折り曲げられて抵抗体１１と一体的に設けられた一対の電極１２と、前記抵抗体１１の少なくとも一部を覆うように設けられた保護膜１３とを備え、前記一対の電極１２の先端部１２ａを抵抗体１１の下面に接続するとともに電極１２に空隙部１４を形成したものである。【選択図】図１
2007141906.tif 000002
【特許請求の範囲】
【請求項１】
金属板で構成した抵抗体と、この抵抗体の両端部において下方にＵ字状に折り曲げられて前記抵抗体と一体的に設けられた一対の電極と、前記抵抗体の少なくとも一部を覆うように設けられた保護膜とを備え、前記一対の電極の先端部を前記抵抗体の下面に接続するとともに前記電極に空隙部を形成した抵抗器。
【請求項２】
空隙部に金属体を形成した請求項１記載の抵抗器。
【発明の詳細な説明】
【技術分野】
【０００１】
本発明は、各種電子機器の電流値検出等に使用される抵抗器に関するものである。
【背景技術】
【０００２】
従来のこの種の抵抗器は、図４に示すように、板状の金属で構成された抵抗体１と、この抵抗体１の両端部の下面に形成された金属からなる一対の電極２とを備えた構成としていた。
【０００３】
なお、この出願の発明に関する先行技術文献情報としては、例えば、特許文献１が知られている。
【特許文献１】特開２００２−１８４６０１号公報
【発明の開示】
【発明が解決しようとする課題】
【０００４】
上記した従来の抵抗器においては、電極２が金属で形成されているため、電流印加時に抵抗体１で発生した熱によって電極２が高温となり、これにより、電極２から伝導する熱によって抵抗体１も高温になるため、抵抗体１の抵抗値が変動してしまい、その結果、高電力印加時においては使用できないという課題を有していた。
【０００５】
本発明は上記従来の課題を解決するもので、高電力印加時においても使用可能な抵抗器を提供することを目的とするものである。
【課題を解決するための手段】
【０００６】
上記目的を達成するために本発明は、以下の構成を有するものである。
【０００７】
本発明の請求項１に記載の発明は、金属板で構成した抵抗体と、この抵抗体の両端部において下方にＵ字状に折り曲げられて前記抵抗体と一体的に設けられた一対の電極と、前記抵抗体の少なくとも一部を覆うように設けられた保護膜とを備え、前記一対の電極の先端部を前記抵抗体の下面に接続するとともに前記電極に空隙部を形成したもので、この構成によれば、抵抗体で発生した熱を空隙部によって放熱させることができるため、抵抗体が高温になるのを防止でき、これにより、高電力印加時においても使用可能になるという作用効果が得られるものである。
【０００８】
本発明の請求項２に記載の発明は、特に、空隙部に金属体を形成したもので、この構成によれば、抵抗体で発生した熱を金属体に蓄熱させることができるため、抵抗体の温度をより低下させることができ、これにより、さらなる高電力印加時においても使用可能になるという作用効果が得られるものである。
【発明の効果】
【０００９】
以上のように本発明の抵抗器は、金属板で構成した抵抗体と、この抵抗体の両端部において下方にＵ字状に折り曲げられて前記抵抗体と一体的に設けられた一対の電極と、前記抵抗体の少なくとも一部を覆うように設けられた保護膜とを備え、前記一対の電極の先端部を前記抵抗体の下面に接続するとともに前記電極に空隙部を形成しているため、抵抗体で発生した熱を空隙部によって放熱させることができ、これにより、抵抗体が高温になるのを防止できるため、高電力印加時においても使用可能になるという優れた効果を奏するものである。
【発明を実施するための最良の形態】
【００１０】
図１は本発明の一実施の形態における抵抗器の斜視図、図２は同抵抗器の正面図である。
【００１１】
本発明の一実施の形態における抵抗器は、図１、図２に示すように、金属板で構成した抵抗体１１と、この抵抗体１１の両端部において下方にＵ字状に折り曲げられて抵抗体１１と一体的に設けられた一対の電極１２と、前記抵抗体１１の少なくとも一部を覆うように設けられた保護膜１３とを備え、そして前記一対の電極１２の先端部１２ａを抵抗体１１の下面に接続するとともに前記電極１２に空隙部１４を形成しているものである。
【００１２】
上記構成において、前記抵抗体１１は、ニクロム、銅ニッケル、マンガニン等の導電性の良好な板状の金属からなる金属板で構成され、その長さは１．０〜１５ｍｍ、幅は０．５〜１０ｍｍ、厚みは１００〜１０００μｍとなっている。さらに、この抵抗体１１の上面にはエポキシ樹脂、ポリイミド樹脂等の絶縁材からなる保護膜１３が形成されている。なお、前記抵抗体１１は一部に抵抗値調整用の切欠きを形成してもよいものである。
【００１３】
また前記一対の電極１２は、抵抗体１１の両端部において抵抗体１１と一体的に設けられ、かつ下方にＵ字状に折り曲げられているもので、すなわち、この一対の電極１２は、抵抗体１１の両端部が下方に折り曲げられた第１側面部１２ｂと、さらにその折り曲げられた部分の途中で抵抗体１１の中央部に向かって折り曲げられた底面部１２ｃと、さらにその途中で上方に折り曲げられた第２側面部１２ｄとにより構成されている。また、前記第１側面部１２ｂ、底面部１２ｃ、第２側面部１２ｄの長さは、抵抗体１１の長さの１／１０〜１／３となっている。
【００１４】
そして、前記第２側面部１２ｄの先端部（電極１２の先端部１２ａ）は抵抗体１１の下面と当接しているもので、この当接した部分において第２側面部１２ｄと抵抗体１１とが溶接等により接続されることにより、Ｕ字状に折り曲げられた電極１２と抵抗体１１とでロ字状の空隙部１４が形成される。
【００１５】
さらに、前記電極１２の底面部１２ｃの下面にはすずめっきが施されるもので、これにより抵抗器は実装基板に実装される。なお、このすずめっきと電極１２の底面部１２ｃの下面との間には必要に応じてニッケルめっき、銅めっき、金めっきを形成してもよいものである。
【００１６】
次に、本発明の一実施の形態における抵抗器の製造方法について説明する。
【００１７】
図１、図２において、まず、板状の金属に、切断加工、打ち抜き加工、プレス加工等を施すことにより、所定形状の金属板を形成する。
【００１８】
次に、この金属板の両端部を下方に折り曲げて第１側面部１２ｂを形成するとともに、所定の長さの抵抗体１１を形成する。
【００１９】
次に、その折り曲げられた部分の途中で抵抗体１１の中央部に向かって折り曲げ、底面部１２ｃを形成する。
【００２０】
次に、その折り曲げられた部分の途中で上方に折り曲げて、第２側面部１２ｄを形成し、Ｕ字状の電極１２を設ける。このとき、第２側面部１２ｄの先端部（電極１２の先端部１２ａ）を抵抗体１１の下面と当接させる。
【００２１】
次に、電極１２の先端部１２ａを抵抗体１１の下面に溶接により接続する。
【００２２】
次に、抵抗体１１の上面に、保護膜１３を熱圧着、超音波溶着等により形成する。このとき、抵抗体１１の下面に位置する電極１２の先端部１２ａ間に保護膜１３を形成してもよい。
【００２３】
最後に、電極１２の底面部１２ｃの下面にすずめっきを形成する。
【００２４】
上記した本発明の一実施の形態においては、抵抗体１１の両端部において下方にＵ字状に折り曲げられて前記抵抗体１１と一体的に設けられた一対の電極１２の先端部１２ａを前記抵抗体１１の下面に接続するとともに前記電極１２に空隙部１４を形成しているため、この空隙部１４によって抵抗体１１で発生した熱を放熱させることができ、これにより、抵抗体１１が高温になるのを防止できるため、高電力印加時においても使用可能になるという効果が得られるものである。また、抵抗体１１は高温とならないため、小型化も可能となるものである。
【００２５】
そしてまた、前記電極１２においては、金属板が空隙部１４を介して抵抗体１１と底面部１２ｃとの上下に存在しているため、この金属板に上下方向の弾性を持たせることができ、これにより、上下方向の応力を緩和できるため、はんだが受ける力を低減でき、その結果、はんだの長寿命化も可能になるという効果も期待できるものである。
【００２６】
さらに、電極１２の先端部１２ａ（第２側面部１２ｄの先端部）と抵抗体１１とを接続することにより、実装基板から流れる電流が、第１側面部１２ｂと第２側面部１２ｄの両方に並列で流れるため、抵抗値を下げることができる。
【００２７】
なお、図３に示すように、空隙部１４に金属体１５を形成すれば、抵抗体１１で発生した熱を金属体１５に蓄熱させることができるため、抵抗体１１の温度をより低下させることができ、これにより、さらなる高電力印加時においても使用可能となるものである。このとき、金属体１５は底面部１２ｃの上面に載置し、はんだ等で接続する。
【産業上の利用可能性】
【００２８】
本発明に係る抵抗器は、高電力印加時においても使用が可能となるものであり、各種電子機器の電流値検出等に使用される抵抗器において有用となるものである。
【図面の簡単な説明】
【００２９】
【図１】本発明の一実施の形態における抵抗器の斜視図
【図２】同抵抗器の正面図
【図３】同抵抗器の他の例を示す正面図
【図４】従来の抵抗器の斜視図
【符号の説明】
【００３０】
１１  抵抗体
１２  一対の電極
１２ａ  電極の先端部
１３  保護膜
１４  空隙部
１５  金属体
【図１】
2007141906.tif 000003
【図２】
2007141906.tif 000004
【図３】
2007141906.tif 000005
【図４】
2007141906.tif 000006